(57)【特許請求の範囲】
【請求項１】
テレビジョン信号を受信して、表示画面へ表示するための映像信号を出力するテレビ放送受信機において、
映像情報及び番組情報が含まれるテレビジョン信号を受信するテレビジョン信号受信手段と、
受信されたテレビジョン信号から前記表示画面へ表示するための番組情報を取得する番組情報取得手段と、
前記取得された番組情報から前記表示画面へ表示するための追加特殊文字を検出する追加特殊文字検出手段と、
前記検出された全ての追加特殊文字を、重複しないように整理する整理手段と、
前記整理された追加特殊文字から追加特殊文字ガイド情報を作成し、前記取得された番組情報と合成して電子番組表に関する映像信号を出力する映像信号出力手段とを備えることを特徴とするテレビ放送受信機。
【請求項２】
テレビジョン信号を受信して、表示画面へ表示するための映像信号を出力するテレビ放送受信機において、
映像情報及び番組情報が含まれるテレビジョン信号を受信するテレビジョン信号受信手段と、
受信されたテレビジョン信号から前記表示画面へ表示するための番組情報を取得する番組情報取得手段と、
前記取得された番組情報から前記表示画面へ表示するための追加特殊文字を検出する追加特殊文字検出手段と、
前記検出された全ての追加特殊文字を、重複しないように整理する整理手段と、
前記整理された追加特殊文字から追加特殊文字ガイド情報を作成し、前記取得された番組情報と合成してこの追加特殊文字ガイド情報が番組情報の上に重ねて表示画面へ表示される電子番組表に関する映像信号を出力する映像信号出力手段とを備えることを特徴とするテレビ放送受信機。
【請求項３】
テレビジョン信号を受信して、表示画面へ表示するための映像信号を出力するテレビ放送受信機において、
映像情報及び番組情報が含まれるテレビジョン信号を受信するテレビジョン信号受信手段と、
受信されたテレビジョン信号から前記表示画面へ表示するための番組情報を取得する番組情報取得手段と、
前記取得された番組情報に基づいて、電子番組表に関する映像信号を作成する電子番組表作成手段と、
前記取得された番組情報から前記表示画面へ表示するための追加特殊文字を検出する追加特殊文字検出手段と、
前記検出された全ての追加特殊文字を、重複しないように整理する整理手段と、
前記整理された追加特殊文字から追加特殊文字ガイド情報を作成する追加特殊文字ガイド情報出力手段と、
追加特殊文字ガイド情報の表示に関する指示を受信する特殊文字ガイド情報表示指示受信手段と、
前記電子番組表に関する映像信号が出力されている場合に前記追加特殊文字ガイド情報の表示に関する指示を受信した場合は電子番組表の上に追加特殊文字情報が重ねて表示されるように映像信号を合成して出力する映像信号合成手段とを備えることを特徴とするテレビ放送受信機。
【請求項４】
テレビジョン信号を受信して、表示画面へ表示するための映像信号を出力するテレビ放送受信方法において、
映像情報及び番組情報が含まれるテレビジョン信号を受信するステップと、
受信されたテレビジョン信号から前記表示画面へ表示するための番組情報を取得するステップと、
前記取得された番組情報から前記表示画面へ表示するための追加特殊文字を検出するステップと、
前記検出された全ての追加特殊文字を、重複しないように整理するステップと、
前記整理された追加特殊文字から追加特殊文字ガイド情報を作成し、前記取得された番組情報と合成して電子番組表に関する映像信号を出力するステップとを備えることを特徴とするテレビ放送受信方法。
【請求項５】
テレビジョン信号を受信して、表示画面へ表示するための映像信号を出力するテレビ放送受信方法において、
映像情報及び番組情報が含まれるテレビジョン信号を受信するステップと、
受信されたテレビジョン信号から前記表示画面へ表示するための番組情報を取得するステップと、
前記取得された番組情報から前記表示画面へ表示するための追加特殊文字を検出するステップと、
前記検出された全ての追加特殊文字を、重複しないように整理するステップと、
前記整理された追加特殊文字から追加特殊文字ガイド情報を作成し、前記取得された番組情報と合成してこの追加特殊文字ガイド情報が番組情報の上に重ねて表示画面へ表示される電子番組表に関する映像信号を出力するステップとを備えることを特徴とするテレビ放送受信方法。
【請求項６】
テレビジョン信号を受信して、表示画面へ表示するための映像信号を出力するテレビ放送受信方法において、
映像情報及び番組情報が含まれるテレビジョン信号を受信するステップと、
受信されたテレビジョン信号から前記表示画面へ表示するための番組情報を取得するステップと、
前記取得された番組情報に基づいて、電子番組表に関する映像信号を作成するステップと、
前記取得された番組情報から前記表示画面へ表示するための追加特殊文字を検出するステップと、
前記検出された全ての追加特殊文字を、重複しないように整理するステップと、
前記整理された追加特殊文字から追加特殊文字ガイド情報を作成するステップと、
追加特殊文字ガイド情報の表示に関する指示を受信するステップと、
前記電子番組表に関する映像信号が出力されている場合に前記追加特殊文字ガイド情報の表示に関する指示を受信した場合は電子番組表の上に追加特殊文字情報が重ねて表示されるように映像信号を合成して出力するステップとを備えることを特徴とするテレビ放送受信方法。
【発明の詳細な説明】
【０００１】
【発明の属する技術分野】
この発明は、デジタル放送のＳＩ情報の文字セットとして定義されている追加特殊文字や、アナログ放送の番組情報タグセットで定義されている追加特殊文字のガイドを表示する機能に関する。
【０００２】
【従来の技術】
近年、テレビ放送のデジタル化が推進され、日本国内においては、現在ＣＳデジタル放送のＳｋｙＰｅｒｆｅｃＴＶ！（登録商標）、ＢＳデジタル放送が実用に供され、今後は２００２年に１１０°ＣＳ、２００３年にはデジタル地上波の運用が予定され、アナログに比べ数々の利点を有するデジタル放送技術が成熟した段階に達すると展望されている。
【０００３】
デジタル放送の特徴の１つとしては、デジタル変調技術やＭＰＥＧ符号化による映像・音声信号の圧縮技術を使った多チャンネルの運用が上げられる。更に、ＢＳデジタル放送では前述した技術により、約２０ＭＢ／Ｓのデジタルハイビジョン放送の送信も可能になった。
【０００４】
デジタル放送の選局処理は、選局されたチャンネルのデータを特定するための情報ＰＳＩ（Ｐｒｏｇｒａｍ  Ｓｐｅｃｉｆｉｃ  Ｉｎｆｏｒｍａｔｉｏｎ）であるＮＩＴ（Ｎｅｔｗｏｒｋ  Ｉｎｆｏｒｍａｔｉｏｎ  Ｔａｂｌｅ）を受信し、そこで現在のＴＳ（Ｔｒａｎｓｐｏｒｔ  Ｓｔｒｅａｍ）が、選局されたチャンネルＴＳかどうかを判定する。異なるＴＳであれば該当するＴＳに切り換える。次にＰＡＴ（Ｐｒｏｇｒａｍ  Ａｓｓｏｃｉａｔｉｏｎ  Ｔａｂｌｅ）から選局チャンネルの映像・音声を特定するためのＰＭＴ（Ｐｒｏｇｒａｍ  Ｍａｐ  Ｔａｂｌｅ）を取得し、その後ＩＣカードによる契約判定の過程を経て、選局されたチャンネルが出画されることになる。
【０００５】
選局の際には、前述した選局情報ＰＳＩ以外にも番組付加情報であるＳＩ（Ｓｅｒｖｉｃｅ  ｉｎｆｏｒｍａｔｉｏｎ）を用いて番組表から番組選択したり、好みのジャンルを指定することにより該当チャンネルを選局したりすることができる。ＳＩにより将来番組の提示から予約設定が可能となり、外部の録画機器を連動することにより録画予約を行うこともできる。また、バナーという表示画面では、放送中の画面にＯＳＤ（ｏｎ  ｓｃｒｅｅｎ  ｄｉｓｐｌａｙ）にて、現在放送している番組の番組名、放送時間、番組の属性等の番組情報が表示される。
【０００６】
また、現行アナログ地上波放送では、テレビ朝日データ（株）や（株）ジェムスタージャパンの電子番組情報が映像音声信号に重畳して送信されている。
【０００７】
ＳＩ中で使用される文字セットには、漢字、英数、平仮名、方仮名や各放送によって規定される追加記号などがある。この文字セットは、チャンネルや番組の内容を示すための名称や番組説明などの記述に使用される。更に、追加記号としては、既存の文字放送やＦＭ多重放送で用いられている追加記号、および番組情報として必要な新追加特殊文字や追加漢字が定義されている。追加特殊文字は、ＪＩＳ規格に規定されていない文字で、新聞やテレビ番組ガイド雑誌のラジオ・テレビ欄で表示されている四角形で囲まれた「Ｓ」（ステレオ放送）や「ニ」（２カ国語放送）と同様な表示をするために使用される。
【０００８】
また、アナログ放送では、上記デジタル放送同様に番組情報として使用する目的で、タグセットという表記法を用いて追加特殊文字が定義されている。
【０００９】
新聞やテレビ番組ガイド雑誌のラジオ・テレビ欄でこのような特殊文字を使用する場合は、紙面の空きエリアまたはコーナーの表紙に各特殊文字の意味を示すガイドが表示されている。
【００１０】
【発明が解決しようとする課題】
従来では、アナログ放送及びデジタル放送の運用規格で規程されている追加特殊文字は、番組名を構成する文字セットの一部として定義及び使用されているため、受信機は電子番組表やバナーなどで表示する他の文字コードと同等にしか扱っておらず、追加特殊文字の意味を提示するようなＵＩ（ｕｓｅｒ  ｉｎｔｅｒｆａｃｅ）を搭載していなかった。つまり、省略化・簡略化した表現である追加特殊文字を番組情報として利用しても、その意味の提示をユーザーにしていなかった。つまり、ユーザーは追加特殊文字の意味を知る手段がなかった。電子番組表やバナーなどは番組を特定する機能であるため、追加特殊文字のような描象的な表現が何を意味するのかユーザーにガイドする必要がある。
【００１１】
従って本発明は電子番組表内に使用されている追加特殊文字の意味を示すガイドを該電子番組表と共に画面に表示し、追加特殊文字の意味をユーザーに提供することを目的としている。
【００１２】
【課題を解決するための手段】
本発明の一実施例に係るテレビ放送受信機は、テレビジョン信号を受信して、表示画面へ表示するための映像信号を出力するテレビ放送受信機であって、映像情報及び番組情報が含まれるテレビジョン信号を受信するテレビジョン信号受信手段と、受信されたテレビジョン信号から前記表示画面へ表示するための番組情報を取得する番組情報取得手段と、前記取得された番組情報から前記表示画面へ表示するための追加特殊文字を検出する追加特殊文字検出手段と、前記検出された全ての追加特殊文字を、重複しないように整理する整理手段と、前記整理された追加特殊文字から追加特殊文字ガイド情報を作成し、前記取得された番組情報と合成して電子番組表に関する映像信号を出力する映像信号出力手段とを備える。
【００１３】
番組表と共に、番組表内に用いられる追加特殊文字の意味を示すガイドを画面に表示することにより、描象的な表現である追加特殊文字の意味がユーザーに提供される。
【００１４】
また、番組表など画面に表示されている全追加特殊文字を自動検出し、そのガイドを番組表などと共に表示することにより、画面に表示されている追加特殊文字のみに関するガイドがユーザーに提供される。
【００１５】
【発明の実施の形態】
以下、図面を参照しながら本発明の実施形態を説明する。
【００１６】
図１はＢＳデジタル放送受信機を例にした本発明の一実施形態に係るテレビ放送受信機のブロック図である。図示しない送信手段によって映像信号・音声信号と共に、ＳＩ情報を多重して送信されたデジタル衛星放送信号が、アンテナ１１で受信され、該当受信信号がデジタル放送受信機内のチューナー１２に供給される。
【００１７】
チューナー１２はコントロール回路（ＣＰＵ）１６からの制御信号に基づいて、受信信号から所定の伝送チャンネルを選択し、選択した伝送チャンネルの受信信号をエラー訂正回路１３に出力する。エラー訂正回路１３は、受信信号に復調処理を施した後、誤り訂正処理を行い、得られた受信信号をスクランブル制御回路１４に供給する。スクランブル制御回路１４は、供給された受信信号にスクランブルが施されたものである場合には、このスクランブルを解除するデスクランブル処理を施して多重データ分離回路１５へと供給する。この場合の供給データは、複数のチャンネル及び番組のデータを含む多重データである。
【００１８】
多重データ分離回路１５は、受信信号のビットストリームに含まれる識別情報（ＩＤ）に基づいてパケットを分離し、更に番組情報のＳＩ情報を分離する。多重データ分離回路１５はＳＩ情報を分離すると、この番組情報をコントロール回路１６に供給すると共に、パケット毎の映像信号についてはＭＰＥＧ映像再生回路１７に与え、さらに、音声信号については、ＭＰＥＧ音声再生回路１８に与える。
【００１９】
ＭＰＥＧ映像再生回路１７は、与えられた映像信号が圧縮符号化されたものであるため、この圧縮符号化データにデコード処理を施し、映像信号をＯＳＤ回路１９に出力する。また、ＭＰＥＧ音声再生回路１８は、同様に与えられた音声信号が圧縮符号化されたものであるため、この圧縮符号化データにデコード処理を施し、音声信号をＴＶ２０の音声回路に出力する。
【００２０】
次に本発明の追加特殊文字ガイド表示方法について説明する。図２は追加特殊文字ガイド表示方法の第１の実施形態を示すフローチャートである。
【００２１】
コントロール回路１６はステップＳＴ１０１のように、多重データ分離回路１５から取得したＳＩ情報から、電子番組表の表示に要求される番組情報等のＯＳＤデータ信号を抽出しＯＳＤ回路１９に出力する。また、コントロール回路１６は、事前に選別された追加特殊文字及びその意味を示すガイドをＯＳＤデータ信号としてＯＳＤ回路１９に出力する。この追加特殊文字の意味を示すガイドはコントロール回路１６の内部メモリ（図示されず）に予め格納されている。この追加特殊文字ガイドは、使用頻度が高いと推定される追加特殊文字のみについて、その意味を表示しても良い。
【００２２】
ＯＳＤ回路１９はコントロール回路１６からのＯＳＤデータ信号を基に、追加特殊文字ガイド付きの電子番組表を作成し、ＭＰＥＧ映像再生回路１７より取得した映像信号と該電子番組表を切り換え、或いは重畳してＴＶ２０へ出力する（ＳＴ１０２）。図３は追加特殊文字ガイド２１が付加された電子番組表画面の一例を示す。この電子番組表は、ユーザのリモコン操作等により上下左右にスクロールする。追加特殊文字ガイド２１の左に表示されている画像２２は、現在選択されている番組（上部中央の白抜きの番組）の詳細を示す番組説明画像である。本発明では番組表のみならず、このような番組説明画像で使用されている追加特殊文字（図では四角形で囲まれた「ＳＤ」）のガイドも表示される。
【００２３】
また、このようにして表示される追加特殊文字ガイドは、ラジオ・テレビ欄形式の番組表に限らず、個々の番組の属性（映画、スポーツ番組等）にフィルタをかけ、同一種類の番組を検索した番組検索結果の表示など、番組やチャンネルの情報として伝送される全番組・チャンネル情報に適用できる。
【００２４】
追加特殊文字ガイドは図３に示すように、電子番組表の空きエリアを利用した表示に限らず、ユーザーのリモコン操作などの手段で表示することも可能である。ユーザー操作による追加特殊文字ガイド表示の動作フローを図４に示す。この例の場合、ステップＳＴ２０２のように通常の電子番組表がＴＶ２０に表示された後、コントロール回路１６は、ユーザーのリモコンから追加特殊文字ガイド表示指示があるか判断する（ＳＴ２０３）。追加特殊文字ガイド表示指示がある場合、コントロール回路１６は追加特殊文字ガイド情報をＯＳＤ回路１９に出力し（ＳＴ２０４）、追加特殊文字ガイド付きの電子番組表がＴＶ２０に表示される（ＳＴ２０５）。図５はユーザー操作により起動された追加特殊文字ガイド２３が表示された電子番組表画面の一例である。
【００２５】
次に本発明の追加特殊文字ガイド表示方法の第２の実施形態について説明する。本実施形態では、画面に表示されている番組表に使用されている追加特殊文字についてのみ、その意味を示すガイドが表示される。図６は本実施形態の動作を示すフローチャートである。本実施形態で適用されるＢＳデジタル放送受信機のブロック図は図１と同様である。
【００２６】
コントロール回路１６はステップＳＴ３０１のように、多重データ分離回路１５から取得したＳＩ情報から、画面に表示される番組表の番組情報を取得する。また、コントロール制御部１６は画面中に表示される全番組情報から追加特殊文字を自動的に検出し（ＳＴ３０２）、全追加特殊文字が重複しないように整理する（ＳＴ３０３）。コントロール回路１６はステップＳＴ３０４のように、番組情報及び整理した追加特殊文字に関するガイド情報をＯＳＤデータとしてＯＳＤ回路１９に出力する。
【００２７】
ＯＳＤ回路１９はコントロール回路１６からのＯＳＤデータ信号を基に、整理した追加特殊文字のガイドが付加された電子番組表を作成し、ＭＰＥＧ映像再生回路１７より取得した映像信号と該電子番組表を切り換え、或いは重畳してＴＶ２０へ出力する（ＳＴ３０５）。追加特殊文字ガイドを表示した画面は図３と同様である。
【００２８】
尚、画面中に表示される情報は、ユーザー操作や時間の経過と共に切換わるため、随時画面中の追加特殊文字を検出する必要がある。また前述したように、画面に表示される追加特殊文字ガイドは、ラジオ・テレビ欄形式の番組表に限らず、個々の番組の属性にフィルタをかけて番組を検索した検索結果の表示など、番組やチャンネルの情報として伝送される全番組・チャンネル情報に適用できる。
【００２９】
追加特殊文字ガイドは、図３のように電子番組表の空きエリアを利用した表示に限らず、ユーザーのリモコン操作などの手段で表示することも可能である。ユーザー操作による追加特殊文字ガイド表示の動作フローを図７に示す。この例の場合、ステップＳＴ４０２のように通常の電子番組表がＴＶ２０に表示された後、コントロール回路１６は、ユーザーのリモコンから追加特殊文字ガイド表示指示があるか判断する（ＳＴ４０３）。追加特殊文字ガイド表示指示がある場合、コントロール回路１６はステップＳＴ４０４〜ＳＴ４０７のように、整理した追加特殊文字についてのガイド情報をＯＳＤ回路１９に出力する。ＯＳＤ回路はガイド情報に基づいて追加特殊文字ガイド付きの電子番組表をＴＶ２０に表示する（ＳＴ２０５）。このようにユーザー操作により起動された追加特殊文字ガイド画面は図４に示す画面と同様である。
【００３０】
上記実施形態では本発明を、従来のテレビに接続して使用されるテレビ放送受信機として説明したが、本発明のテレビ放送受信機は勿論、テレビを構成する要素としてテレビに内蔵できることは明らかである。
【００３１】
【発明の効果】
以上説明したようにこの発明によれば、追加特殊文字の意味を示すガイドを該電子番組表と共に画面に表示し、追加特殊文字の意味をユーザーに提示することができる。
【図面の簡単な説明】
【図１】本発明の一実施形態に係るテレビ放送受信機の構成を示すブロック図。
【図２】追加特殊文字ガイド表示方法の第１の実施形態を示すフローチャート。
【図３】追加特殊文字ガイドが付加された電子番組表画面の一例を示す図。
【図４】ユーザー操作による追加特殊文字ガイド表示の動作を示すフローチャート。
【図５】ユーザー操作により起動された追加特殊文字ガイドを含む電子番組表画面の一例を示す図。
【図６】本発明の第２の実施形態の動作を示すフローチャート図。
【図７】ユーザー操作による追加特殊文字ガイド表示の第２の実施形態に係る動作を示すフローチャート。
【図１】
0003615185.tif 000002
【図２】
0003615185.tif 000003
【図３】
0003615185.tif 000004
【図４】
0003615185.tif 000005
【図５】
0003615185.tif 000006
【図６】
0003615185.tif 000007
【図７】
0003615185.tif 000008